(57)【要約】      （修正有）【課題】ブラッシング及び保護機能を兼ね備える全方位全自動マウスピース型インテリジェント歯ブラシを提供する。【解決手段】当該歯ブラシは、マウスピース１、本体及び充電ベースを含む。マウスピースの底部に本体が設けられ、マウスピースと本体との間にアダプタ３が設けられ、マウスピースとアダプタは、段付きネジ山を介して接続され、本体とアダプタは、バックルを介して接続され、本体は、本体上ハウジング４及び本体下ハウジング５を含み、本体上ハウジングと本体下ハウジングとの接続部に第一防水リング６が設けられ、本体の内部にモータブラケット８が設けられ、モータブラケットは、第一ブラケット９及び第二ブラケット１０を含む。本考案は、歯磨きの体験及び効率を大幅に向上させ、プラークをより効果的に除去し、歯茎をマッサージし、歯茎の出血を効果的に低減して改善することができ、更に歯を白くすることもできる。【選択図】図２
0003217942.tif 000002
【実用新案登録請求の範囲】
【請求項１】
マウスピース（１）、本体（２）及び充電ベース（１５）を含む、ブラッシング及び保護機能を兼ね備える全方位全自動マウスピース型インテリジェント歯ブラシにおいて、前記マウスピース（１）の底部に本体（２）が設けられ、前記マウスピース（１）と本体（２）との間にアダプタ（３）が設けられ、前記マウスピース（１）とアダプタ（３）は、段付きネジ山を介して接続され、前記本体（２）とアダプタ（３）は、バックルを介して接続され、前記本体（２）は、本体上ハウジング（４）及び本体下ハウジング（５）を含み、前記本体上ハウジング（４）と本体下ハウジング（５）との接続部に第一防水リング（６）が設けられ、前記本体（２）の内部にモータブラケット（８）が設けられ、前記モータブラケット（８）は、第一ブラケット（９）及び第二ブラケット（１０）を含み、前記第一ブラケット（９）は、第二ブラケット（１０）に係合され、前記第一ブラケット（９）と第二ブラケット（１０）との間に音波モータ（１１）が設けられ、前記音波モータ（１１）の底部にバッテリ（１２）が設けられ、前記音波モータ（１１）及びバッテリ（１２）は、いずれもモータブラケット（８）の内部に設けられ、前記第一ブラケット（９）の片側に本体ＰＣＢ基板（１３）が設けられ、前記本体（２）の表面にボタン（１４）が設けられ、前記ボタン（１４）は、本体ＰＣＢ基板（１３）に電気的に接続され、前記本体（２）の底部に充電ベース（１５）が設けられ、前記充電ベース（１５）は、第一ベースハウジング（１６）及び第二ベースハウジング（１７）を含み、前記第一ベースハウジング（１６）と第二ベースハウジング（１７）は、回転軸を介して可動に接続され、前記第一ベースハウジング（１６）及び第二ベースハウジング（１７）は、いずれも上ハウジング及び下ハウジングを含み、前記第一ベースハウジング（１６）の上ハウジングの頂部に、空洞形水漏れ孔（２４）が設けられ、前記第一ベースハウジング（１６）の内部にベースＰＣＢ基板（１８）が設けられ、前記ベースＰＣＢ基板（１８）の底部にコイル（１９）が設けられ、前記充電ベース（１５）の底部にゴムパッド（２０）が設けられることを特徴とする、ブラッシング及び保護機能を兼ね備える全方位全自動マウスピース型インテリジェント歯ブラシ。
【請求項２】
前記マウスピース（１）の形状はＵ形に設けられ、且つ口腔工学に基づいて設計され、前記マウスピース（１）の内壁に毛（２１）が設けられ、前記毛（２１）の先端は丸く処理され、歯ブラシの毛（２１）は斜め45°に歯と歯茎の境界部に当てられ、これは現在の科学的な歯磨き方法のコア技術であり、前記毛（２１）は、抗菌成分が注入された食品グレードのシリカゲル材料で製造されることを特徴とする
請求項１に記載のブラッシング及び保護機能を兼ね備える全方位全自動マウスピース型インテリジェント歯ブラシ。
【請求項３】
前記マウスピース（１）のＵ形溝の内部にシリカゲルソフトブラシ（２７）が設けられ、前記Ｕ形溝とシリカゲルソフトブラシ（２７）は、一体型接続構造になるように設けられ、またシリカゲルソフトブラシ（２７）の硬度は、マウスピース（１）のＵ形溝の硬度より小さいことを特徴とする
請求項１に記載のブラッシング及び保護機能を兼ね備える全方位全自動マウスピース型インテリジェント歯ブラシ。
【請求項４】
前記本体（２）とアダプタ（３）との接続部に防水シリカゲル（２２）が設けられ、前記防水シリカゲル（２２）の形状は空洞形に設けられることを特徴とする
請求項１に記載のブラッシング及び保護機能を兼ね備える全方位全自動マウスピース型インテリジェント歯ブラシ。
【請求項５】
前記本体下ハウジング（５）の底部に通気孔（２３）が設けられ、前記通気孔（２３）の内部に防水フィルムが貼り付けられることを特徴とする
請求項１に記載のブラッシング及び保護機能を兼ね備える全方位全自動マウスピース型インテリジェント歯ブラシ。
【請求項６】
前記マウスピース（１）は、噴水ノズル又はイリゲーター部品を選択することができることを特徴とする
請求項１に記載のブラッシング及び保護機能を兼ね備える全方位全自動マウスピース型インテリジェント歯ブラシ。
【請求項７】
前記第一ベースハウジング（１６）の上ハウジングと下ハウジングとの接続部に第二防水リング（２５）が設けられ、前記第二防水リング（２５）は、ベースＰＣＢ基板（１８）及びコイル（１９）の外部を被覆することを特徴とする
請求項１に記載のブラッシング及び保護機能を兼ね備える全方位全自動マウスピース型インテリジェント歯ブラシ。
【請求項８】
前記第二ベースハウジング（１７）の下ハウジングの底部にバンプ（２６）が設けられることを特徴とする
請求項１に記載のブラッシング及び保護機能を兼ね備える全方位全自動マウスピース型インテリジェント歯ブラシ。
【請求項９】
前記本体下ハウジング（５）及び第一ベースハウジング（１６）の上ハウジングの頂部にいずれもワイヤレス充電コイル（７）が貼り合わせられることを特徴とする
請求項１に記載のブラッシング及び保護機能を兼ね備える全方位全自動マウスピース型インテリジェント歯ブラシ。
【請求項１０】
前記ゴムパッド（２０）は４つあり、４つの前記ゴムパッド（２０）はそれぞれ充電ベース（１５）の底部の四隅部に設けられることを特徴とする
請求項１に記載のブラッシング及び保護機能を兼ね備える全方位全自動マウスピース型インテリジェント歯ブラシ。
【考案の詳細な説明】
【技術分野】
【０００１】
本考案は、日常生活用具技術分野に関し、特に、ブラッシング及び保護機能を兼ね備える全方位全自動マウスピース型インテリジェント歯ブラシに関する。
【背景技術】
【０００２】
従来の電動歯ブラシ及び手動歯ブラシは、歯の各表面に暫く留まって、歯の３つの表面を処理するようにならないと、歯磨きの目的を達成することができないため、時間がかかる。従って、電動歯ブラシを用いる時、歯を正確に磨くために、十分な根気を必要とする。歯ブラシを口に入れた後、同期して上下に移動しないと、歯の溝、歯茎の溝及び歯のすきまなどの特殊部位の細菌を完全に除去することができず、同様に歯疾患を引き起こす。電動歯ブラシを正確に使用すると、プラークを除去して、虫歯及び歯周病を予防するという役割を確かに果たす。しかしながら、これらの役割は、普通の歯ブラシの役割と同じである。電動歯ブラシは、人々の歯磨き方式を変えるが、歯磨きの役割を完全に代替することができる。また、電動歯ブラシの振動周波数及び力が決まっており、回転時、歯の表面において横方向に歯磨きするため、歯を摩耗する恐れがある。延いては歯周病を引き起こす恐れがある。歯の具合がよくないと、例えば、歯茎炎症、歯周病になった時、電動歯ブラシを選択しないほうがよい。また、幼児が急に好適な使用方法を身につけることができないため、弱い歯茎を損傷して、歯茎が赤く腫れることを引き起こし、また歯を激しく摩耗する。延いては歯周病を引き起こして、歯の脱落を招いてしまう。また、従来の全ての歯ブラシが、手持ちを無くして全自動を実現するという課題を解決できず、また手持ち方式で歯磨きを行う時、ブラシヘッドを歯の各表面及び各表面における正確な箇所と接触させることができないため、完全に磨くという効果を達成することができない。歯磨きに３−５分間かかり、時間が長い。
【０００３】
従って、上記課題を解決するためのブラッシング及び保護機能を兼ね備える全方位全自動マウスピース型インテリジェント歯ブラシを開発する必要がある。
【考案の概要】
【考案が解決しようとする課題】
【０００４】
本考案は、上記背景技術における課題を解決するように、ブラッシング及び保護機能を兼ね備える全方位全自動マウスピース型インテリジェント歯ブラシを提供することを目的とする。
【課題を解決するための手段】
【０００５】
上記目的を実現するために、本考案は、下記技術的解決手段を提供する。マウスピース、本体及び充電ベースを含む、ブラッシング及び保護機能を兼ね備える全方位全自動マウスピース型インテリジェント歯ブラシにおいて、前記マウスピースの底部に本体が設けられ、前記マウスピースと本体との間にアダプタが設けられ、前記マウスピースとアダプタは、段付きネジ山を介して接続され、前記本体とアダプタは、バックルを介して接続され、前記本体は、本体上ハウジング及び本体下ハウジングを含み、前記本体上ハウジングと本体下ハウジングとの接続部に第一防水リングが設けられ、前記本体の内部にモータブラケットが設けられ、前記モータブラケットは、第一ブラケット及び第二ブラケットを含み、前記第一ブラケットは、第二ブラケットに係合され、前記第一ブラケットと第二ブラケットとの間に音波モータが設けられ、前記音波モータの底部にバッテリが設けられ、前記音波モータ及びバッテリは、いずれもモータブラケットの内部に設けられ、前記第一ブラケットの片側に本体ＰＣＢ基板が設けられ、前記本体の表面にボタンが設けられ、前記ボタンは、本体ＰＣＢ基板に電気的に接続され、前記本体の底部に充電ベースが設けられ、前記充電ベースは、第一ベースハウジング及び第二ベースハウジングを含み、前記第一ベースハウジングと第二ベースハウジングは、回転軸を介して可動に接続され、前記第一ベースハウジング及び第二ベースハウジングは、いずれも上ハウジング及び下ハウジングを含み、前記第一ベースハウジングの上ハウジングの頂部に、空洞形水漏れ孔が設けられ、前記第一ベースハウジングの内部にベースＰＣＢ基板が設けられ、前記ベースＰＣＢ基板の底部にコイルが設けられ、前記充電ベースの底部にゴムパッドが設けられる。
【０００６】
好ましくは、前記マウスピースの形状はＵ形に設けられ、且つ口腔工学に基づいて設計され、前記マウスピースの内壁に毛が設けられ、前記毛の先端は丸く処理され、歯ブラシの毛は斜め45°に歯と歯茎の境界部に当てられ、これは現在の科学的な歯磨き方法のコア技術であり、前記毛は、抗菌成分が注入された食品グレードのシリカゲル材料で製造される。
【０００７】
好ましくは、前記マウスピースのＵ形溝の内部にシリカゲルソフトブラシが設けられ、前記Ｕ形溝とシリカゲルソフトブラシは、一体型接続構造になるように設けられ、またシリカゲルソフトブラシの硬度は、マウスピースのＵ形溝の硬度より小さい。
【０００８】
好ましくは、前記本体とアダプタとの接続部に防水シリカゲルが設けられ、前記防水シリカゲルの形状は空洞形に設けられる。
【０００９】
好ましくは、前記本体下ハウジングの底部に通気孔が設けられ、前記通気孔の内部に防水フィルムが貼り付けられる。
【００１０】
好ましくは、前記マウスピースは、噴水ノズル又はイリゲーター部品を選択することができる。
【００１１】
好ましくは、前記第一ベースハウジングの上ハウジングと下ハウジングとの接続部に第二防水リングが設けられ、前記第二防水リングは、ベースＰＣＢ基板及びコイルの外部を被覆する。
【００１２】
好ましくは、前記第二ベースハウジングの下ハウジングの底部にバンプが設けられる。
【００１３】
好ましくは、前記本体下ハウジング及び第一ベースハウジングの上ハウジングの頂部にいずれもワイヤレス充電コイルが貼り合わせられる。
【００１４】
好ましくは、前記ゴムパッドは４つあり、４つの前記ゴムパッドはそれぞれ充電ベースの底部の四隅部に設けられる。
【００１５】
本考案の技術的効果及び利点は以下のとおりである。
１、本考案において、音波モータにより振動を発生し、続いてアダプタにより振動をマウスピースに伝達する。マウスピースにおける硬いシリカゲル部は、振動をＵ形マウスピースの内壁における食品グレードの抗菌性シリカゲル毛に伝達する。シリカゲル毛は、振動の故に左右に揺動する。口にマウスピースを含む時、内周の毛は歯を磨いて、歯のすきまにおける不潔物の排出を容易にする。外周の毛は、ぴったりと歯茎と接触することができる。毛が揺動する時、歯茎を深くマッサージして、歯茎の血行を促進し、細胞の代謝を促進すると共に、柔らかい食品グレードの抗菌性シリカゲル毛は、様々な口腔及び歯に適用でき、歯茎の出血を避け、歯茎及び歯に更なる健康な保障を与えて、歯を白くすることができる。なお、音波モータの作用下で、マウスピースのＵ形溝内におけるシリカゲルソフトブラシは舌苔を磨いてマッサージするという役割を更に果たすこともできる。
２、本考案において、底部でワイヤレス充電方式を用い、両手を開放することができ、より便利で、安全である。歯磨きを行いながら、両手で他の事をやることを実現する。
３、本考案において、可動に接続される第一ベースハウジングと第二ベースハウジングを用いる。第二ベースハウジングを回転して引いて開ける時、その上に２つのマウスピースを配置することができる。第二ベースハウジングにおけるバンプ構造は、マウスピースの配置に好適である。マウスピースは、第二ベースハウジングに配置される時、落下しにくい。使用しない時、第二ベースハウジングを回転によりメインハウジングと結合し、ワイヤレス充電ハウジング全体を一体化することができる。
【図面の簡単な説明】
【００１６】
【図１】は本考案の全体構造を示す模式図である。
【図２】は本考案の全体を示す分解図である。
【考案を実施するための形態】
【００１７】
以下において、本考案の実施例における図面と共に本考案の実施例における技術的解決手段を、明瞭且つ完全に説明する。当然、説明される実施例は本考案の一部の実施例であり、全ての実施例ではない。本考案の実施例に基づいて、当業者が創造的な労力を要さずに想到しうる他の実施例は、いずれも本考案の保護範囲に属する。
【００１８】
本考案は、図１−２に示されるブラッシング及び保護機能を兼ね備える全方位全自動マウスピース型インテリジェント歯ブラシを提供する。マウスピース１、本体２及び充電ベース１５を含む。前記マウスピース１の底部に本体２が設けられ、前記マウスピース１と本体２との間にアダプタ３が設けられ、前記マウスピース１とアダプタ３は、段付きネジ山を介して接続され、前記本体２とアダプタ３は、バックルを介して接続され、前記本体２は、本体上ハウジング４及び本体下ハウジング５を含み、前記本体上ハウジング４と本体下ハウジング５との接続部に第一防水リング６が設けられ、前記本体２の内部にモータブラケット８が設けられ、前記モータブラケット８は、第一ブラケット９及び第二ブラケット１０を含み、前記第一ブラケット９は、第二ブラケット１０に係合される。前記第一ブラケット９と第二ブラケット１０との間に音波モータ１１が設けられ、モータ軸により振動を伝達することができる。モータ３は振動してアダプタ２を介して振動をマウスピースに伝達する。前記音波モータ１１の底部にバッテリ１２が設けられ、前記音波モータ１１及びバッテリ１２は、いずれもモータブラケット８の内部に設けられ、前記第一ブラケット９の片側に本体ＰＣＢ基板１３が設けられ、前記本体２の表面にボタン１４が設けられ、前記ボタン１４は、本体ＰＣＢ基板１３に電気的に接続され、前記本体２の底部に充電ベース１５が設けられ、前記充電ベース１５は、第一ベースハウジング１６及び第二ベースハウジング１７を含み、前記第一ベースハウジング１６と第二ベースハウジング１７は、回転軸を介して可動に接続され、前記第一ベースハウジング１６及び第二ベースハウジング１７は、いずれも上ハウジング及び下ハウジングを含み、前記第一ベースハウジング１６の上ハウジングの頂部に、表面に滴下した水を好適に排出して充電ベース１５における溜まり水を防止することができる空洞形水漏れ孔２４が設けられ、前記第一ベースハウジング１６の内部にベースＰＣＢ基板１８が設けられ、前記ベースＰＣＢ基板１８の底部にコイル１９が設けられ、前記充電ベース１５の底部にゴムパッド２０が設けられる。
【００１９】
前記マウスピース１の形状はＵ形に設けられ、且つ口腔工学に基づいて設計され、前記マウスピース１の内壁に毛２１が設けられ、前記毛２１の先端は丸く処理され、歯ブラシの毛２１は斜め45°に歯と歯茎の境界部に当てられ、これは現在の科学的な歯磨き方法のコア技術であり、前記毛２１は、抗菌成分が注入された食品グレードのシリカゲル材料で製造され、歯のすきまを深く磨いて、３６０°全方位的かつ無死角に磨くことができる。歯磨き時間を大幅に短縮する。また、様々な口腔及び歯に適用でき、歯茎の出血を避け、歯茎及び歯に更なる健康な保障を与えて、歯をより白くすることができる。
【００２０】
前記マウスピース１のＵ形溝の内部にシリカゲルソフトブラシ２７が設けられ、前記Ｕ形溝とシリカゲルソフトブラシ２７は、一体型接続構造になるように設けられ、またシリカゲルソフトブラシ２７の硬度は、マウスピース１のＵ形溝の硬度より小さく、舌の表面における臭味及び細菌を効果的に撲滅することができる。
【００２１】
前記本体２とアダプタ３との接続部に防水シリカゲル２２が設けられ、前記防水シリカゲル２２の形状は空洞形に設けられ、水の進入を効果的に防水することができる。
【００２２】
前記本体下ハウジング５の底部に通気孔２３が設けられ、音波モータ１１に発生した熱膨張を放熱することができる。前記通気孔２３の内部に防水フィルムが貼り付けられ、外部からの水が本体内部に飛び散ることを効果的に防止することができる。
【００２３】
前記マウスピース１は、噴水ノズル又はイリゲーター部品を選択することができる。十秒間で自動的に制御される優しい洗浄水はブラシヘッドに取って代わって、口腔の表面の残渣を全面的に除去することを実現することができる。
【００２４】
前記第一ベースハウジング１６の上ハウジングと下ハウジングとの接続部に第二防水リング２５が設けられ、前記第二防水リング２５は、ベースＰＣＢ基板１８及びコイル１９の外部を被覆して、その内部において密閉した空間を形成して、良好な防水効果を果たすことができる。
【００２５】
前記第二ベースハウジング１７の下ハウジングの底部にバンプ２６が設けられる。それは、マウスピース１を固定して、マウスピース１を落下しにくくするために用いることができる。
【００２６】
前記本体下ハウジング５及び第一ベースハウジング１６の上ハウジングの頂部に、いずれもワイヤレス充電コイル７が貼り合わせられ、非接触電力伝送により本体２の内部のバッテリ１２を充電することができる。
【００２７】
前記ゴムパッド２０は４つあり、４つの前記ゴムパッド２０はそれぞれ充電ベース１５の底部の四隅部に設けられ、使用時、装置全体の滑りを防止することができる。
【００２８】
本考案の動作原理は以下のとおりである。使用時、まずマウスピース１を本体２におけるアダプタ３に締め付け、続いて口にマウスピース１を含み、ボタン１４を押す。音波モータ１１は振動を開始する。音波モータ１１に発生した振動は、アダプタ３を介してマウスピース１に伝達される。マウスピース１における硬いシリカゲル部は、振動をＵ形マウスピース１の内壁における柔らかいシリカゲル毛２１に伝達する。毛２１は、振動の故に左右に揺動する。口にマウスピースを含む時、内周の毛２１は歯を磨いて、歯のすきまにおける不潔物の排出を容易にする。外周の毛２１は、ぴったりと歯茎と接触することができる。毛２１が揺動する時、マッサージの役割を果たすことができる。磨きのフロー全体は、３−５ｓのみを必要とする。歯磨きを行いながら、両手で他の事をやることができる。使用フロー全体は非常に便利で、安全である。
【００２９】
最後に説明しておくと、以上の記載は本考案の好適な実施例に過ぎず、本考案を制限するものではなく。前記実施例を参照して本考案について詳細に説明したが、当業者であれば、依然として前記各実施例に記載の技術的解決手段を修正し、又はそのうち一部の技術特徴に対して均等物による置換を行うことができる。本考案の精神及び原則内で行われるいかなる修正、均等物による置換、改良等は、いずれも本考案の保護範囲内に含まれるものとする。
【符号の説明】
【００３０】
１  マウスピース、２  本体、３  アダプタ、４  本体上ハウジング、５  本体下ハウジング、６  第一防水リング、７  ワイヤレス充電コイル、８  モータブラケット、９  第一ブラケット、１０  第二ブラケット、１１  音波モータ、１２  バッテリ、１３  本体ＰＣＢ基板、１４  ボタン、１５  充電ベース、１６  第一ベースハウジング、１７  第二ベースハウジング、１８  ベースＰＣＢ基板、１９  コイル、２０  ゴムパッド、２１  毛、２２  防水シリカゲル、２３  通気孔、２４  空洞形水漏れ孔、２５  第二防水リング、２６  バンプ、２７  シリカゲルソフトブラシ
【図１】
0003217942.tif 000003
【図２】
0003217942.tif 000004